(57)【要約】【課題】低温収納庫の防振性を高め、さらに、低温収納庫の内容器の断熱性を高める低温収納庫を提供する。【解決手段】収納庫本体４と、この収納庫本体４内に設けられている内容器２１と、この内容器２１と熱的に接続されている冷却機構たるスターリングサイクル機関１１と、前記収納庫本体４に取り付けられる蓋体６とを有し、前記収納庫本体４の外殻体と前記内容器２１の間および前記蓋体内に断熱部材たる発泡断熱部材２３，３６を設け、前記内容器２１の外面を防振部材２２で覆うと共に、この防振部材２２と前記外殻体との間に発泡断熱部材２３，３６を形成する。【選択図】      図１
2004225943.tif 000002
【特許請求の範囲】
【請求項１】
収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記内容器の外面を防振部材で覆うと共に、この防振部材と前記外殻体との間に発泡断熱部材を形成したことを特徴とする低温収納庫。
【請求項２】
前記防振部材が、防振性かつ断熱性を有する材質で形成されていることを特徴とする請求項１記載の低温収納庫。
【請求項３】
前記防振部材が、独立気泡型の発泡体であると共に、この防振部材を前記内容器の外面に取り付けたことを特徴とする請求項２記載の低温収納庫。
【請求項４】
収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記断熱部材が、前記内容器側に設けられた発泡断熱部材の周囲を囲むように前記外殻体側に設けた真空断熱部材とで構成されていることを特徴とする低温収納庫。
【請求項５】
前記収納庫本体内の発泡体の下方に真空断熱部材を設けたことを特徴とする請求項４記載の低温収納庫。
【請求項６】
前記真空断熱部材に、冷却機構の吸熱部の少なくとも一部が入る孔が形成されていることを特徴とする請求項５記載の低温収納庫。
【請求項７】
収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記収納庫本体の外殻体の上部および／または前記蓋体に熱伝導率の低い材質からなる取付板を取り付け、この取付板に対して前記内容器の上部を固定したことを特徴とする低温収納庫。
【請求項８】
前記取付板と前記内容器の上端との間に防振部材を設けたことを特徴とする請求項７記載の低温収納庫。
【請求項９】
前記取付板の一部に肉薄部を形成したことを特徴とする請求項７記載の低温収納庫。
【請求項１０】
前記薄肉部が前記内容器を囲むように溝状に形成されていることを特徴とする請求項９記載の低温収納庫。
【発明の詳細な説明】
【０００１】
【発明の属する技術分野】
本発明は、ピストンの駆動により振動が発生する機関を用いて低温状態を実現する低温収納庫に関するものである。
【０００２】
【従来の技術】
ピストンの駆動により振動が発生する機関を用いて低温状態を実現する低温収納庫として、スターリングサイクル機関を用いた低温収納庫があり、例えば、特許第３２８６４９４号の特許掲載公報に記載されたものがある。この公報によれば、スターリングサイクル機関として、圧縮シリンダ部の先方に形成され作動ガスを圧縮させる圧縮室と、膨張シリンダ部の先方に形成され動作ガスを膨張させる膨張室とを有し、圧縮室と膨張室とは、熱再生器と放熱器とを介在させてガス流路で連通しており、クランク機構によるピストンを往復運動させ動作ガスを圧縮し、あるいは膨張させて冷熱を発生させるものが開示されている。また、収納容器部分として、箱状の外箱と内箱との間にウレタン等の断熱材を充填した断熱部の内壁に熱伝導板を張り付けて収納容器部分である冷凍室が形成されることが開示されている。さらに、低温収納庫の収納容器は、下部に膨張シリンダ部の先端に接続する熱伝導部を有し、熱伝導部が熱伝導板の底面に接合し、膨張シリンダ部のある部分が断熱材で覆われていることも開示されている。
【０００３】
【特許文献１】
特許第３２８６４９４号特許掲載公報
【０００４】
【発明が解決しようとする課題】
しかしながら、前記特許掲載公報によれば、スターリングサイクル機関の構成として、圧縮シリンダ部と膨張シリンダ部を、ある位相差をもって原動機を動力とするクランク機構によって往復運動をするように構成されているので、スターリングサイクル機関の稼動により発生した振動が、収納庫本体の外殻体へ伝わり、振動や騒音が発生するという課題があった。
【０００５】
この点、本出願人は、先に振動や騒音が少ないスターリングサイクル機関について、ピストンを軸方向に往復駆動することにより（圧縮シリンダに対応）、これに従動して軸方向に往復運動するディスプレイサー（膨張シリンダに対応）からなるスターリングサイクル機関の発明を特許出願している（特開平２０００−２７４８５４号公報参照）。
【０００６】
しかし、このように振動や騒音を低減できるスターリングサイクル機関であっても、ピストンが往復運動しているため、僅かに振動が発生することになる。そこで、この振動を収納庫本体の外殻体へ伝わり難くし、振動や騒音を低減させることが望まれていた。
【０００７】
また、低温収納庫の低温保持機能を高めるため、さらなる断熱性も望まれていた。
【０００８】
そこで、本発明は、上記課題を解決するためになされたものであり、ピストンの往復運動を利用して冷却する機関を用いた低温収納庫の防振性を高め、さらに、低温収納庫の内容器の断熱性を高める低温収納庫を提供することを目的とするものである。
【０００９】
【課題を解決するための手段】
請求項１記載の低温収納庫の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記内容器の外面を防振部材で覆うと共に、この防振部材と前記外殻体との間に発泡断熱部材を形成したことを特徴とするものである。
【００１０】
請求項１記載の低温収納庫によれば、前記防振部材は例えば発泡ゴムでできており、気泡および材料自身の弾性により防振されるものであり、冷却機構の発する振動が内容器に伝わったとしても、この内容器の外面を覆う防振部材によって、振動が発泡断熱部材に伝わることが妨げられる。
【００１１】
請求項２記載の低温収納庫の発明は、請求項１において、前記防振部材が、防振性かつ断熱性を有する材質で形成されていることを特徴とするものである。
【００１２】
請求項２記載の低温収納庫によれば、収納庫本体の外殻体の内側に設けられた発泡断熱部材だけでなく、内容器の外面を覆う防振部材によっても断熱される。
【００１３】
請求項３記載の低温収納庫の発明は、請求項１において、前記防振部材が、独立気泡型の発泡体であると共に、この防振部材を前記内容器の外面に取り付けたことを特徴とするものである。
【００１４】
請求項３記載の低温収納庫によれば、防振部材が独立気泡型の発泡体であることで熱伝導率を低くでき、これを内容器の外面に取り付けることにより高い断熱性を発揮するばかりでなく、容器本体の外殻体と防振部材の間に発泡断熱部材を注入する際に、この発泡断熱部材が防振部材の気泡に入り込むことが防止されることで、防振性が損なわれる虞が低減される。
【００１５】
請求項４記載の低温収納庫の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記断熱部材が、前記内容器側に設けられた発泡断熱部材と、その周囲を囲むように前記外殻体側に設けた真空断熱部材とで構成されていることを特徴とするものである。
【００１６】
請求項４記載の低温収納庫によれば、発泡断熱部材と収納庫本体の外殻体との間に、発泡断熱部材の周囲を囲むように、この発泡断熱部材よりも断熱性の高い真空断熱部材が配置されているので、外部から内容器に移動する熱が効果的に遮られるばかりでなく、前記真空断熱部材と内容器の間の発泡断熱部材によって前記真空断熱部材に伝わる冷熱が遮られることで、この真空断熱部材を構成するフィルムが低温脆化することが防止される。
【００１７】
請求項５記載の低温収納庫の発明は、請求項４において、前記収納庫本体内の発泡体の下方に真空断熱部材を設けたことを特徴とするものである。
【００１８】
請求項５記載の低温収納庫によれば、発泡断熱部材の下方にも真空断熱部材を設けることにより、スターリングサイクル機関等の冷却機構から発せられる熱が効果的に遮られる。
【００１９】
請求項６記載の低温収納庫の発明は、請求項５において、前記真空断熱部材に、前記冷却機構の吸熱部の少なくとも一部が入る孔が形成されていることを特徴とするものである。
【００２０】
請求項６記載の低温収納庫によれば、冷却機構の吸熱部の側面が真空断熱部材で覆われることで、ここからの冷熱の拡散が低減されるばかりでなく、冷却機構から発せられて内容器に移動する熱がより効果的に遮られる。
【００２１】
請求項７記載の低温収納庫の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記収納庫本体の外殻体の上部および／または前記蓋体に熱伝導率の低い材質からなる取付板を取り付け、この取付板に対して前記内容器の上部を固定したことを特徴とするものである。
【００２２】
請求項７記載の低温収納庫によれば、外殻体の上部および／または蓋体内に熱伝導率の低い材質からなる取付板が設けられ、内容器、蓋体に固定されているので、この箇所での外界から収納庫本体内の内容器への熱伝導を低減する。
【００２３】
請求項８記載の低温収納庫の発明は、請求項７において、前記取付板と前記内容器の上端との間に防振部材を設けたことを特徴とするものである。
【００２４】
請求項８記載の低温収納庫によれば、内容器上端と取付板との間の防振部材によって、内容器上端から外殻体に伝わる振動が低減される。
【００２５】
請求項９記載の低温収納庫の発明は、請求項７において、前記取付板の一部に肉薄部を形成したことを特徴とするものである。
【００２６】
請求項９記載の低温収納庫によれば、取付板に形成された肉薄部で熱伝導がさらに低減されるばかりでなく、振動の伝導も低減される。
【００２７】
請求項１０記載の低温収納庫の発明は、請求項９において、前記薄肉部が前記内容器を囲むように溝状に形成されていることを特徴とするものである。
【００２８】
請求項１０記載の低温収納庫によれば、前記内容器を囲むように薄肉部が溝状に形成されているので、取付板の面の全方向からの熱伝導及び振動の伝導が低減されることで、熱伝導がさらに低減されるばかりでなく、振動の伝導もさらに低減される。
【００２９】
【発明の実施形態】
以下、本発明の実施形態について、図１および図２に基づいて説明する。
【００３０】
図１は、本発明における低温収納庫を示すものである。この低温収納庫１は、冷却機構であるスターリングサイクル機関１１を搭載する搭載室２と、その搭載室２の上方にスターリングサイクル機関１１から発生する熱を放出するための放熱フィン１２を空冷するための外気取込室３と、その外気取込室３の上方に収納庫本体４が設けられており、その収納庫本体４の上方には、収納庫本体内の保存室５に低温保存する物を出し入れするための蓋体６が設けられている。そして、収納庫本体４と蓋体６は、図示しないヒンジ等で開閉自在に取り付けられている。また、前記低温収納庫１が移動可能なように、搭載室２の下部にはゴム製のローラー７が設けられている。
【００３１】
搭載室２の内部には、スターリングサイクル機関１１を固定するためのスプリング等の防振機構１５付きの固定台１４がある。そして、防振機構１５には、略Ｌ字型の固定板１６が連結されており、固定板１６がスターリングサイクル機関１１の本体胴部分に接合され、固定台１４に固定されるようになっている。そして、スターリングサイクル機関１１の吸熱部１３は、搭載室２から外気取込室３を貫通し、収納庫本体４に至っており、吸熱部１３の先端が収納庫内の内容器２１の底面に当接するようになっている。
【００３２】
前記搭載室２と外気取込室３とは、仕切板１７で仕切られていると共に、前記外気取込室３の中央部分は、スターリングサイクル機関１１の吸熱部１３が貫通している。また、放熱フィン１２が吸熱部１３の下方の放熱部１３Ａを囲むように配置されている。そして、前記外気取込室３の外殻体には、図示しない外気取込孔があり、この外気取込孔から外気を取り入れ、放熱フィン１２を空冷するようになっている。さらに、前記放熱フィン１２は、放熱フィンカバー１８で仕切板１７と接合されている。前記放熱フィンカバー１８は、ゴム等の弾性体で形成されており、この部分においてスターリングサイクル機関１１の振動が低温収納庫の外殻体へ伝わるのを低減しているばかりでなく、前記外気取込孔から取り入れられた外気が前記放熱フィン１２と仕切板１７の間を通ることが防止されることで、放熱フィン１２の放熱効率が向上する。また、放熱フィン１２の上方の吸熱部１３と放熱部１３Ａの間を囲むように、断熱材１９が放熱フィン１２より小さい円周で形成され、配置されている。
【００３３】
また、収納庫本体４の中央部分には、低温保存される物を入れるための内容器２１（保存室５）がある。そして、内容器２１の外側には、内容器２１を囲むように発泡ゴムからなる防振部材２２が配置されている。さらに、防振部材２２を囲むように発泡ウレタンよりなる断熱部材たる発泡断熱部材２３が配置され、その外側には断熱部材たる真空断熱部材２４が配置されている。この真空断熱部材２４は、発泡断熱部材２３の側面のみならず、底面も覆うように配置されている。また、防振部材２２は、その下端が前記外気取込室３の上面までとどくように配置されている。
【００３４】
前記内容器２１の底面には、その中央部分に前記スターリングサイクル機関１１の吸熱部１３の先端面１３Ｂが接触する当接面２１Ａが形成されている。なお、前記吸熱部１３は、図２に示すような一部に開放部５１を有する略Ｃ字型の固定部２５により内容器１２に固定されている。前記固定部２５には、その側面に貫通孔５２が設けられており、その貫通孔５２にボルト５３を螺合させ、スターリングサイクル機関１１の吸熱部１３の先端部側面を締め付けて固定するようになっている。そして、固定部２５には、上面から下面に向かって貫通していない後述するボルト２８用の孔５４が４箇所形成されており、この孔５４にボルト２８が螺合することによって、吸熱部１３の先端部側面を締め付けた固定部２５と内容器２１の底面が接合固定され、固定部２５が当接面２１Ａを囲むと共に、この当接面２１Ａに前記吸熱部１３の先端面１３Ｂが熱的に良好な状態で密着するようになっている。なお、前記固定部２５は、前記内容器２１の底面に対して熱的に良好な状態で固定されている。そして、内容器２１と固定部２５とは同じ材料、例えばアルミニウムや銅を用いることにより、熱伝導の違いによる熱伝導損失を抑えることができるばかりでなく、これら内容器２１と固定部２５の熱膨張率が同じであるため、これらが吸熱部１３によって冷却されたとしても、同じように収縮することで、内容器と固定部の熱膨張率の差によって熱ストレスが加わって密着性が損なわれたり破損したりするようなことがない。また、前記内容器２１の下方には、この内容器２１の底面を覆うように発泡断熱部材２６が配置され、さらにその下方を覆うように、この発泡断熱部材２６の底面に真空断熱部材２７が配置されている。なお、図１の拡大部分に示すように、内容器２１の底部には、ボルト２８用の貫通孔が形成されており、この貫通孔に防振用のＯリング２９を介して前記ボルト２８を入れて前記孔５４に螺合させることで、前記吸熱部１３の先端部側面を締め付けた固定部２５と内容器２１とが結合するようになっている。そして、このように前記吸熱部１３の先端部側面を前記固定部２５によって締め付けて固定し、この固定部２５を、前記内容器２１の底面に形成された当接面２１Ａを囲むように且つ前記吸熱部１３の先端面１３Ｂが前記当接面２１Ａに熱的に良好な状態で接触するように固定することで、組み立て中に前記吸熱部１３の先端面１３Ｂと前記当接面２１Ａとの熱的な密着が損なわれることがなく、組み立てが行いやすい。また、前記吸熱部１３の先端部側面が前記固定部２５によって締め付けられることで、前記吸熱部１３の先端面１３Ｂの変形が抑えられるため、前記吸熱部１３の先端面１３Ｂと前記当接面２１Ａとの熱的な密着が損なわれることが更に抑えられる。
【００３５】
前記内容器２１は、その側壁の上部が前記収納庫本体４の上端近傍まで延びている。また、前記防振部材２２と発泡断熱部材２３の上方は、合成樹脂製の取付板３０で覆われている。また、前記内容器２１と取付板３０の接続および防振を目的とする内容器接続パッキン３１が、取付板３０の下面と内容器２１の上端との間に配置されている。更に、前記取付板３０の外周側では、前記収納庫本体４の外殻体が保存室５側に折り込まれるように形成されており、この外殻体の折り込まれた部分を前記取付板３０の外周部が覆っている。この部分について、図１の拡大部分を用いて説明する。前記収納庫本体４の外殻体の内側に折り込まれた部分は、途中まで発泡断熱部材２３と取付板３０に挟まれている。そして、前記取付板３０の下面における前記収納庫本体４の外殻体の折り込まれた部分の内端部近傍には、前記内容器２１を囲むように溝状の肉薄部３５が形成されており、前記収納庫本体４の外殻体の折り込まれた部分の内端部は、前記発泡断熱部材２３で覆われるように形成されている。そして、熱伝導率の低い樹脂で形成された取付板３０を、前記肉薄部３５において薄くしていることで、熱伝導が更に抑えられ、外殻体から取付板３０を経て内容器２１に至る熱の伝導が減少する。
【００３６】
前記蓋体６内部には、発泡断熱部材３６及び真空断熱部材３７が設けられていると共に、前記蓋体６の下面には内蓋３８が固定されている。そして、前記蓋体６内の保存室５側に前記発泡断熱部材３６が設けられていると共に、この発泡断熱部材３６の外側に前記真空断熱部材３７が設けられている。また、前記内蓋３８は、前記内容器２１の内径とほぼ同じか、それより小さくなっている。更に、前記蓋体６の外殻体も、前記収納庫本体４と同様に、保存室５側に折り込まれるように形成されており、その内端部は、前記取付板３０とほぼ同じ構造の合成樹脂製の取付板３９によって覆われている。また、この取付板３９の上面にも、前記内容器２１を囲むように肉薄部４０が形成されている。この部分について、図１の拡大部分を用いて説明する。前記蓋体６の外殻体の内側に折り込まれた部分は、発泡断熱部材３８と取付板３９に挟まれている。そして、前記取付板３９の上面における前記蓋体６の外殻体の折り込まれた部分の内端部よりも内側には、前記内容器２１を囲むように溝状の肉薄部４０が形成されている。そして、熱伝導率の低い樹脂で形成された取付板３９を、前記肉薄部４０において薄くしていることで、熱伝導が更に抑えられ、外殻体から取付板３９を経て内容器２１に至る熱の伝導が減少する。更に、前記取付板３９の外周側に、蓋パッキン３２が固定されていると共に、この蓋パッキン３２の内側には、内部蓋パッキン３３が取り付けられている。なお、前記蓋パッキン３２は、いわゆるマグネットパッキンである。そして、前記蓋体６を閉めることで、前記蓋パッキン３２が収納庫本体４の外殻体に磁着すると共に、前記内部蓋パッキン３３が前記取付部３０に密着する。従って、前記蓋パッキン３３及び内部蓋パッキン３３によって、前記収納庫本体４の保存室５を略密閉状態に保つことができるようになっている。なお、前記収納庫本体４及び蓋体６の外殻は、熱伝導率が低く且つ磁性体であることが好ましく、例えば鋼板等が使用可能である。
【００３７】
以上のような構成で、冷却機構であるスターリングサイクル機関１１の図示しないピストンを往復運動させることにより、吸熱部１３の先端部が冷却されるようになる。そして、前記先端面１３Ｂが前記当接面２１Ａと熱的に良好に密着していることで、前記内容器２１内の熱が内容器２１の当接面２１Ａから吸熱部１３の先端面１３Ｂに伝導すると共に、前記吸熱部１３の先端部側面を締め付けている固定部２５が前記内容器２１の底面に熱的に密着した状態でボルト２８によって固定されていることで、前記内容器２１内の熱が固定部２５から吸熱部１３の先端部に伝導することで、前記内容器２１（保存室５）が冷却される。
【００３８】
このとき、前記収納庫本体４内で前記内容器２１の外側に設けられた発泡断熱部材２３の外側に設けられた真空断熱部材２４及び蓋体６内の発泡断熱部材３８の上方に設けられた真空断熱部材３７によって、低温収納庫１の外部から内容器２１（保存室５）に流入する熱を効果的に遮断できると共に、前記収納庫本体４内で前記内容器２１の下方に設けられた発泡断熱部材２６の下方に設けられた真空断熱部材２７によって、スターリングサイクル機関１１の放熱部１３Ａから内容器２１（保存室５）に流入する熱を効果的に遮断できる。更に、前記収納庫本体４の上部に設けられた取付板３０が合成樹脂で形成されていることで、前記収納庫本体４の外殻体から前記取付板３０を伝って前記内容器２１（保存室５）に熱が流入することが抑えられるばかりでなく、前記取付板３０に溝状の肉薄部３５が形成されていることで、この肉薄部３５における熱伝導が阻害され、前記収納庫本体４の外殻体から前記内容器２１（保存室５）に熱が流入することが更に抑えられる。同様に、前記蓋体６においても、前記取付板３９が合成樹脂で形成されていることで、前記蓋体６の外殻体から前記取付板３９を伝って保存室５に熱が流入することが抑えられるばかりでなく、前記取付板３９に溝状の肉薄部４０が形成されていることで、この肉薄部４０における熱伝導が阻害され、前記蓋体６の外殻体から保存室５に熱が流入することが更に抑えられる。従って、前記内容器２１（保存室５）に熱が流入することが効果的に抑えられて効率的に冷却されることになる。
【００３９】
ところで、前記真空断熱部材２４，２７，３７の前記内容器２１側に前記発泡断熱部材２３，２６，３６が設けられており、これらの発泡断熱部材２３，２６，３６によって前記内容器２１からの冷熱が遮断されることで、前記真空断熱部材２４，２７，３７の外面が過度に低温とならない。このため、前記真空断熱部材２４，２７，３７を構成する外面のフィルム（通常は合成樹脂）が低温脆化せず、これら真空断熱部材２４，２７，３７の真空が保たれることになる。そしてこの結果、前記低温収納庫１は長期にわたって高い断熱性が維持される。
【００４０】
そして、スターリングサイクル機関１１で発生して放熱フィン１２に伝わった振動は、放熱フィンカバー１８で吸収されることで、仕切板１７から外気取込室３，ひいては収納庫本体４に振動が伝わることが防止される。一方、前記スターリングサイクル機関１１の吸熱部１３は前記内容器２１に対して直接接触しているため、前記スターリングサイクル機関１１で発生した振動は内容器２１に伝わることになる。しかしながら、この内容器２１の外面が防振部材２２によって覆われているため、前記内容器２１から発泡断熱部材２３に伝わる振動が吸収される。即ち、前記発泡断熱部材２３は、通常ポリウレタンを収納庫本体４の外殻体内部に注入して発泡させることで形成するが、発泡ポリウレタンの外面においては気泡が形成されずソリッドな状態であり、ポリウレタン樹脂自体が比較的硬いため、この発泡断熱部材２３の外面に沿って振動が伝わりやすいものの、前述したように、防振部材２２によって振動が吸収されるので、前記内容器２１から発泡断熱部材２３を経て前記収納庫本体４に振動が伝わらないようにできる。また、前記内容器２１の上端と取付板３０の間に内容器接続パッキン３１が設けられていることで、この内容器接続パッキン３１によって内容器２１から取付板３０に伝わる振動が吸収されることになる。更に、前記内容器２１の側壁から取付板３０に僅かに振動が伝わったとしても、この取付板３０に形成された溝状の肉薄部３５によって、振動が収納庫本体４の外殻体に伝わることが防止される。従って、スターリングサイクル機関１１から前記内容器２１に伝わった振動は、前記収納庫本体４には伝わらないことになる。
【００４１】
以上のように、前記実施形態においては、収納庫本体４と、この収納庫本体内に設けられている内容器２１と、この内容器２１と熱的に接続されている冷却機構１１と、前記収納庫本体４に取り付けられる蓋体６とを有し、前記収納庫本体４の外殻体と前記内容器２１の間および前記蓋体６内に断熱部材たる発泡断熱部材２３，３６を設け、前記内容器２１の外面を防振部材２２で覆うと共に、この防振部材２２と前記外殻体との間に発泡断熱部材２３を形成するので、冷却機構たるスターリングサイクル機関１１を稼動しピストン等を往復運動させた場合に、そこから発生して内容器２１から収納庫本体４に伝わる振動を低減することができる。
【００４２】
また、前記防振部材２２が、防振性かつ断熱性を有する材質で形成されているので、振動を低減することができるばかりでなく、断熱性にも優れたものとなり、前記スターリングサイクル機関１１による内容器２１内の低温化を効率よく実現できる。
【００４３】
また、前記防振部材２２が、独立気泡型の発泡体であると共に、この防振部材２２を前記内容器の外面に取り付けているので、高い断熱性を発揮することができるばかりでなく、収納庫本体４の外殻体と防振部材２２の間に発泡断熱部材２３を注入する際に、この発泡断熱部材２３が防振部材２２の気泡に入り込むことが防止されることで、防振性が損なわれる虞が低減されるので、低温収納庫１全体に伝わる振動をより低減することができる。
【００４４】
また、収納庫本体４と、この収納庫本体内に設けられている内容器２１と、この内容器２１と熱的に接続されている冷却機構たるスターリングサイクル機関１１と、前記収納庫本体４に取り付けられる蓋体６とを有し、前記収納庫本体４の外殻体と前記内容器２１との間および前記蓋体６内に断熱部材を設けた低温収納庫１において、前記断熱部材が、前記内容器２１側に設けられた発泡断熱部材２３，３６と、その周囲を囲むように前記外殻体側に設けられた真空断熱部材２４，３７とで構成されているので、断熱性がより高くなるばかりでなく、前記発泡断熱部材２３，３６によって前記真空断熱部材２４，３７に伝わる冷熱が遮られることで、この真空断熱部材２４，３７を構成するフィルムが低温脆化することが防止されるので、長期にわたって高い断熱性を維持することができる。
【００４５】
また、前記収納庫本体４内の発泡断熱部材２６の下方に真空断熱部材２７を設けているので、スターリングサイクル機関１１の放熱部１３Ａからの熱が遮断され、断熱性がより高くなる。
【００４６】
また、前記真空断熱材２７に、スターリングサイクル機関１１の吸熱部１３の少なくとも一部が入る孔が形成されているので、スターリングサイクル機関１１の放熱部１３Ａから発生する熱を遮断し、断熱性を更に高く維持できる。
【００４７】
さらに、収納庫本体４と、この収納庫本体４内に設けられている内容器２１と、この内容器２１と熱的に接続されている冷却機構たるスターリングサイクル機関１１と、前記収納庫本体４に取り付けられる蓋体６とを有し、前記収納庫本体４の外殻体と前記内容器２１との間および前記蓋体６内に断熱部材たる発泡断熱部材２３，３６を設けた低温収納庫１において、前記収納庫本体４の外殻体の上部および／または前記蓋体６に熱伝導率の低い材質からなる取付板３０，３９を取り付け、前記収納庫本体４の取付板３０に対して前記内容器２１の上部を固定しているので、低温収納庫１の外部から内容器２１への熱伝導を低減することができ、内容器２１内の冷熱と外界の温熱との熱交換を低減することができる。
【００４８】
また、前記収納庫本体４の取付板３０と前記内容器２１の上端との間に防振部材たる内容器接続パッキン３１を設けているので、この箇所において内容器２１から取付板３０に伝わる振動を吸収することができ、内容器２１から低温収納庫１に伝わる振動を低減することができる。
【００４９】
また、前記取付板３０，３９の一部に肉薄部３５，４０を形成しているので、この肉薄部３５，４０における熱伝導を抑え、更に振動の伝導も抑えることで、断熱性及び防振性を向上させることができる。
【００５０】
また、前記取付板３０，３９の薄肉部３５，４０が、前記内容器２１を囲むように溝状に形成されているので、前記取付板３０，３９の面方向の全方向からの熱の流入を抑え、更に、前記取付板３０，３９の面方向の全方向への振動の伝導を防止することもできる。
【００５１】
なお、本発明は、前記実施形態に限定されるものではなく、例えば、防振性と断熱性を兼ね備えた防振部材を、内容器の底面部や蓋体に配置する等、種々の変形実施が可能である。
【００５２】
【発明の効果】
以上説明したように、請求項１記載の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記内容器の外面を防振部材で覆うと共に、この防振部材と前記外殻体との間に発泡断熱部材を形成したことを特徴とする低温収納庫であり、冷却機構の発する振動が内容器に伝わったとしても、この内容器の外面を覆う防振部材によって、振動が発泡断熱部材に伝わることが妨げられるので、冷却機構を稼動した場合に、そこから発生して収納庫全体に伝わる振動を低減することができる。
【００５３】
請求項２記載の発明は、前記防振部材が、防振性かつ断熱性を有する材質で形成されていることを特徴とする請求項１記載の低温収納庫であり、収納庫本体の外殻体の内側に設けられた発泡断熱部材だけでなく、内容器の外面を覆う防振部材によっても断熱されるので、防振性、断熱性にも優れ、冷却機構による低温収納庫内の低温化を効率よく実現できる。
【００５４】
請求項３記載の発明は、前記防振部材が、独立気泡型の発泡体であると共に、この防振部材を前記内容器の外面に取り付けたことを特徴とする請求項２記載の低温収納庫であり、防振部材が独立気泡型の発泡体であることで熱伝導率を低くでき、これを内容器の外面に取り付けることにより高い断熱性を発揮するので、低温収納庫内の低温化をより効率よく実現できるばかりでなく、収納庫本体の外殻体と防振部材の間に発泡断熱部材を注入する際に、この発泡断熱部材が防振部材の気泡に入り込むことが防止されることで、防振性が損なわれる虞が低減されるので、収納庫全体に伝わる振動をより低減することができる。
【００５５】
請求項４記載の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記断熱部材が、前記内容器側に設けられた発泡断熱部材と、その周囲を囲むように前記外殻体側に設けた真空断熱部材とで構成されているものであり、発泡断熱部材と収納庫本体の外殻体との間に、発泡断熱部材の周囲を囲むように、この発泡体よりも断熱性の高い真空断熱材が配置されていることで外部から内容器に移動する熱が効果的に遮られるので、断熱効果を高め、冷却機構による低温収納庫内の低温化を効率よく実現できるばかりでなく、前記真空断熱部材と内容器の間の発泡断熱部材によって前記真空断熱部材に伝わる冷熱が遮られることで、この真空断熱部材を構成するフィルムが低温脆化することが防止されるので、長期にわたって高い断熱性を維持することができる。
【００５６】
請求項５記載の発明は、前記収納庫本体内の発泡体の下方に真空断熱部材を設けたことを特徴とする請求項４記載の低温収納庫であり、発泡体の下方にも真空断熱部材を設けることにより、スターリングサイクル機関等の冷却機構から発せられる熱が効果的に遮られるので、冷却機構から発生する熱の断熱効果を高め、冷却機構による低温収納庫内の低温化をさらに効率よく実現できる。
【００５７】
請求項６記載の発明は、前記真空断熱材に、冷却機構の吸熱部の少なくとも一部が入る孔が形成されていることを特徴とする請求項５記載の低温収納庫であり、冷却機構の吸熱部の側面が真空断熱材で覆われることで、ここからの冷熱の拡散が低減されるばかりでなく、冷却機構から発せられて内容器に移動する熱がより効果的に遮られるので、冷却機構から発生する熱の断熱効果を高め、冷却機構による低温収納庫内の低温化をさらに効率よく実現できる。
【００５８】
さらに、請求項７記載の発明によれば、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器との間および前記蓋体内に断熱部材を設けた低温収納庫において、前記収納庫本体の外殻体の上部および／または前記蓋体に熱伝導率の低い材質からなる取付板を取り付け、この取付板に対して前記内容器の上部を固定したものであり、この箇所での外界から収納庫本体内の内容器への熱伝導が低減されるので、断熱効果を高め、冷却機構による低温収納庫内の低温化を効率よく実現できる。
【００５９】
請求項８記載の発明は、前記取付板と前記内容器の上端との間に防振部材を設けたことを特徴とする請求項７記載の低温収納庫であり、内容器上端と取付板との間の防振部材によって、内容器上端から外殻体に伝わる振動が低減するので、冷却機構を稼動した場合に、そこから発生して外殻体に伝わる振動を低減することができる。
【００６０】
請求項９記載の発明は、前記取付板の一部に肉薄部を形成したことを特徴とする請求項７記載の低温収納庫であり、取付板に形成された肉薄部で熱伝導がさらに低減されるばかりでなく、振動の伝導も低減されるので、冷却機構による低温収納庫内の低温化をさらに効率よく実現できるばかりでなく、冷却機構から発生して外殻体に伝わる振動をさらに低減することができる。
【００６１】
請求項１０記載の発明は、前記薄肉部が前記内容器を囲むように溝状に形成されていることを特徴とする請求項９記載の低温収納庫であり、前記内容器を囲むように溝状に形成された薄肉部によって、取付板の面の全方向からの熱伝導及び振動の伝導が低減されることで、熱伝導がさらに低減されるばかりでなく、振動の伝導もさらに低減されるので、冷却機構による低温収納庫内の低温化をさらに効率よく実現できるばかりでなく、冷却機構から発生して外殻体に伝わる振動をさらに低減することができる。
【図面の簡単な説明】
【図１】本発明の実施形態を示す断面図である。
【図２】スターリングサイクル機関の吸熱部を内容器の底面に固定するための構造を示す部分分解斜視図である。
【符号の説明】
１  低温収納庫
４  収納庫本体
６  蓋体
１１  スターリングサイクル機関（冷却機構）
１３  吸熱部
２１  内容器
２２  防振部材
２３  発泡断熱部材（断熱部材）
２４  真空断熱部材（断熱部材）
２６  発泡断熱部材（断熱部材）
２７  真空断熱部材（断熱部材）
３０  取付板
３１  内容器接続パッキン（防振部材）
３５  肉薄部
３６  発泡断熱部材（断熱部材）
３７  真空断熱部材（断熱部材）
３９  取付板
４０  肉薄部
【図１】
2004225943.tif 000003
【図２】
2004225943.tif 000004